(57)【要約】  デッキとベースとを有する樹脂パレットであって、デッキとベースが、場合により可逆的であるインターロック機構によって連結されているパレットが記載されている。場合により可逆的な方法でインターロッキング部材によりパレットを組み立ててパレットを形成する、かかるパレットの製造方法も記載されている。
2013530899.tif 000002
【特許請求の範囲】
【請求項１】
下記を含む、２以上のボデーを接合するためのインターロック機構：
（ａ）複数の第１凸部を備え、少なくとも２つの第１凸部は少なくとも１つの第１インターロッキング部材を備える第１ボデー、及び
（ｂ）下記のいずれかを備える第２ボデー：
（ｉ）それぞれ対応する第１インターロッキング部材を受け入れるための第２ボデー内に設けられた複数の第２インターロッキング部材、又は
（ii）複数の第２凸部、少なくとも２つの該第２凸部はそれぞれ対応する第１インターロッキング部材を受け入れるための少なくとも１つの第２インターロッキング部材を備える、
ここで、各第１インターロッキング部材は、前記第１ボデーと前記第２ボデーとをインターロックさせた時に対応する第２インターロッキング部材と係合するように位置し、かつ前記第１ボデーと第２ボデーの少なくとも一方の可撓性は、第２インターロッキング部材を備える前記第２ボデーの遠位部の外向きへの傾き、及び第１インターロッキング部材を備える前記第１凸部の遠位部の内向きへの傾き、の少なくとも一方の傾きを可能にし、こうして前記第１ボデーと第２ボデーとが対向する側において複数の第１インターロッキング部材が対応する複数の第２インターロッキング部材と係合するようになり、
前記第１ボデー及び第２ボデーの一方がパレットのベースであり、他方がパレットのデッキである。
【請求項２】
前記第１ボデーと第２ボデーの少なくとも一方が、この要素の中心に設けた少なくとも１つの追加の凸部をさらに含む、請求項１に記載のインターロック機構。
【請求項３】
前記第１ボデー及び第２ボデーが、この要素の中心に設けた少なくとも１つの追加の凸部をさらに含む、請求項１に記載のインターロック機構。
【請求項４】
前記第１ボデーと第２ボデーの少なくとも一方が平板状である、請求項１に記載のインターロック機構。
【請求項５】
前記第１ボデー及び第２ボデーの両方が平板状である、請求項１に記載のインターロック機構。
【請求項６】
前記第１ボデー及び第２ボデーの一方が平板状で、他方は少なくとも部分的に反りを有する、請求項１に記載のインターロック機構。
【請求項７】
前記第１ボデー及び第２ボデーの一方が平板状で、他方がドーム形状を有する、請求項１に記載のインターロック機構。
【請求項８】
前記第１ボデー及び第２ボデーの両方が反り又はドーム形状を有する、請求項１に記載のインターロック機構。
【請求項９】
前記平板状第１ボデー及び平板状第２ボデーの両方が、前記第２インターロッキング部材を備える第２ボデーの遠位部の外向きへの傾き、及び前記第１インターロッキング部材を備える第１凸部の遠位部の内向きへの傾きを可能にする可撓性を有し、こうして第１ボデーと第２ボデーとが対向する側において複数の第１インターロッキング部材が対応する複数の第２インターロッキング部材と係合するようになる、請求項１に記載のインターロック機構。
【請求項１０】
前記第１ボデーと第２ボデーの少なくとも一方が、第１ボデーと第２ボデーが対向する側において複数の第１インターロッキング部材が対応する複数の第２インターロッキング部材と係合するのを可能にする可撓性を有する、請求項１に記載のインターロック機構。
【請求項１１】
前記第１ボデー及び第２ボデーの両方が、第１ボデーと第２ボデーとが対向する側において複数の第１インターロッキング部材が対応する複数の第２インターロッキング部材と係合するのを可能にする可撓性を有する、請求項１に記載のインターロック機構。
【請求項１２】
それぞれ対応する第１インターロッキング部材を受け入れるための第２インターロッキング部材が角度をなしている、請求項１に記載のインターロック機構。
【請求項１３】
前記第１ボデーと第２ボデーの少なくとも一方が一体型ヒンジ又はヒンジを含んでいる、請求項１に記載のインターロック機構。
【請求項１４】
前記第１ボデーと第２ボデーの少なくとも一方が複数の断片から構成される、請求項１に記載のインターロック機構。
【請求項１５】
前記複数の断片がヒンジにより連結されている、請求項１４に記載のインターロック機構。
【請求項１６】
前記第１又は第２の要素のいずれも損傷することなく前記第１ボデーと第２ボデーとを分離することができる、請求項１に記載のインターロック機構。
【請求項１７】
下記を含む、パレットを形成するためのインターロック機構を有する複数ボデーのインターロック方法：
（ａ）下記を用意し：
（ｉ）複数の第１凸部を備え、少なくとも２つの第１凸部が少なくとも１つの第１インターロッキング部材を備える第１ボデー、及び
（ii）複数の第２凸部を備え、少なくとも２つの第２凸部がそれぞれ対応する第１インターロッキング部材を受け入れるための少なくとも１つの第２インターロッキング部材を備える第２ボデー、
ここで、各第２凸部は、前記第１ボデーと前記第２ボデーとをインターロックさせた時に対応する第１凸部と係合するように位置し、かつ前記第１ボデーと第２ボデーの少なくとも一方は、前記第２インターロッキング部材を備える前記第２凸部の遠位部の外向きへの傾きと、前記第１インターロッキング部材を備える前記第１凸部の遠位部の内向きへの傾きの少なくとも一方を可能にする可撓性を有していて、それにより複数の第１インターロッキング部材が前記第１ボデー及び第２ボデーが対向する側において複数の対応する第２インターロッキング部材と係合し、
（ｂ）前記第１ボデーと第２ボデーの少なくとも一方の屈曲性部分を、該ボデーを撓ませるように該ボデーに力を加えることにより撓ませ、ここで該第１ボデーと第２ボデーの少なくとも一方は、前記第２インターロッキング部材を備える前記第２凸部の遠位部を外向きに傾斜させ、また前記第１インターロッキング部材を備える前記第１凸部の遠位部を内向きに傾斜させ、
（ｃ）複数の第１インターロッキング部材を第１ボデーと第２のボデーが対向する側において対応する複数の第２インターロッキング部材と係合させるのに十分な力を加え、そして
（ｄ）前記の力を取り除いて、前記第１ボデー及び第２ボデーをこれらのボデーがインターロックしている撓みのない状態に戻す、
ここで、前記第１ボデー及び第２ボデーの一方がパレットのベースであり、他方がパレットのデッキである。
【請求項１８】
工程（ｂ）が、前記第１ボデー及び第２ボデーに力を加えてこれらのボデーを撓ませることにより当該ボデーの反りを生じさせることを含み、ここで、前記第１ボデー及び第２ボデーは、前記第２インターロッキング部材を備える前記第２凸部の遠位部を外向きに傾斜させるとともに、前記第１インターロッキング部材を備える前記第１凸部の遠位部を内向きに傾斜させ、ここで、加える力の量は、前記第１ボデーと第２ボデーが対向する側において複数の第１インターロッキング部材を対応する複数の第２インターロッキング部材と係合させるのを可能するものである、請求項１７に記載の方法。
【請求項１９】
前記第１及び第２ボデーが、これらのボデーを互いに対して水平に摺動させて、前記少なくとも１つの第１インターロッキング部材が前記少なくとも１つの第２インターロッキング部材と係合するのを達成することによりインターロックされる、請求項１７に記載の方法。
【請求項２０】
下記を含む、インターロック機構により連結された複数のボデーを分解する方法：
（ａ）インターロック機構により相互連結された第１ボデーと第２ボデーとを含むアセンブリを用意し、ここで、該アセンブリは、
（ｉ）前記第１ボデーの外周に沿って設けられた複数の第１凸部を備え、少なくとも２つの該第１凸部は少なくとも１つの第１インターロッキング部材を備えている第１ボデーと、
（ii）複数の第２凸部を備え、少なくとも２つの該第２凸部がそれぞれ対応する第１インターロッキング部材を受け入れるための少なくとも１つの第２インターロッキング部材を備える第２ボデー、とを備え、
ここで、各第２凸部は、前記第１ボデーと第２ボデーとをインターロックさせた時に対応する第１凸部と係合するように位置し、かつ前記第１ボデーと第２ボデーの少なくとも一方は、第２インターロッキング部材を備える前記第２凸部の遠位部の外向きへの傾きと第１インターロッキング部材を備える前記第１凸部の遠位部の内向きへの傾きの少なくとも一方を生じるように撓み、それにより複数の第１インターロッキング部材が前記第１ボデーと第２ボデーとが対向する側において複数の対応する第２インターロッキング部材と係合するようになる、
（ｂ）前記第１ボデーと第２ボデーの少なくとも一方を、該ボデーを撓ませるように該ボデーに力を加えることにより反りを生じさせ、ここで、該第１ボデーと第２ボデーの少なくとも一方は、前記第２インターロッキング部材を備える前記第２凸部の遠位部を外向きに傾斜させ、また前記第１インターロッキング部材を備える前記第１凸部の遠位部を内向きに傾斜させ、
（ｃ）複数の第１インターロッキング部材を第１ボデーと第２のボデーとが対向する側において対応する複数の第２インターロッキング部材との係合から解放するのに十分な力を加え、そして
（ｄ）前記の力を取り除いて、前記第１ボデー及び第２ボデーをこれらのボデーが係合解除された、撓みのない状態に戻し、
ここで、前記第１ボデー及び第２ボデーの一方がパレットのベースであり、他方がパレットのデッキである。
【請求項２１】
工程（ｂ）が、前記第１ボデー及び第２ボデーに力を加えてこれらのボデーを撓ませることにより当該ボデーの反りを生じさせることを含み、ここで、前記第１ボデー及び第２ボデーは、前記第２インターロッキング部材を備える前記第２凸部の遠位部を外向きに傾斜させるとともに、前記第１インターロッキング部材を備える前記第１凸部の遠位部を内向きに傾斜させ、ここで、加える力の量は、前記第１ボデーと第２ボデーが対向する側において複数の第１インターロッキング部材が対応する複数の第２インターロッキング部材との係合から解除されるのを可能するものである、請求項２０に記載の方法。
【請求項２２】
下記を含む、複数のボデーを連結するためのインターロック機構：
ａ）少なくとも第１ボデー及び第２ボデー、ここで該第１及び第２のボデーの少なくとも一方は可撓性であって、それにより該第１ボデー上に設けた少なくとも１つの第１インターロッキング要素が該第２ボデー上に設けた少なくとも１つの対応する第２インターロッキング要素と係合することが可能となり、
ｂ）ここで、該第１及び第２のインターロッキング要素の少なくとも１つは他方のインターロッキング要素に対して内向き又は外向きに回転し、それにより、一方のボデー上の第１インターロッキング要素が他方のボデー上の対応する第２インターロッキング要素と係合することが可能になり、
ｃ）ここで、前記少なくとも１つの第１インターロッキング要素と第２インターロッキング要素との間に形成されたインターロック機構が、前記２つのボデーの少なくとも一方を、撓ませた後に撓みのない状態に戻した時にも保持され、そして
ｄ）ここで、前記少なくとも１つの第１インターロッキング要素及び第２インターロッキング要素が係合している時に、前記第１及び第２のボデーはパレットの少なくとも一部を構成している。
【請求項２３】
下記を含む、パレットを形成するためにインターロック機構を有するボデーのインターロック方法：
（ａ）ｉ）少なくとも第１ボデー及び第２ボデーを用意し、ここで、該第１ボデーと第２ボデーの少なくとも一方は可撓性であって、それにより該第１ボデー上に設けた少なくとも１つの第１インターロッキング要素が該第２ボデー上に設けた少なくとも１つの対応する第２インターロッキング要素と係合することが可能となり、
ii）ここで、該第１及び第２のインターロッキング要素の少なくとも１つは他方のインターロッキング要素に対して内向き又は外向きに回転し、それにより、一方のボデー上の第１インターロッキング要素が他方のボデー上の対応する第２インターロッキング要素と係合することが可能となり、
iii）ここで、前記少なくとも１つの第１インターロッキング要素と第２インターロッキング要素との間に形成されたインターロック機構が、前記２つのボデーの少なくとも一方を撓ませた後に撓みのない状態に戻した時にも保持され、そして
iv）ここで、前記少なくとも１つの第１インターロッキング要素及び第２インターロッキング要素が係合している時には、前記第１及び第２のボデーがパレットの少なくとも一部を構成し、
（ｂ）前記第１ボデーと第２ボデーの少なくとも一方の屈曲性部分を、該ボデーを撓ませるようにこれに力を加えることにより撓ませ、ここで、該第１ボデーと第２ボデーの少なくとも一方は、前記第２インターロッキング要素を備える前記第２ボデーの遠位部を外向きに傾斜させ、また前記第１インターロッキング要素を備える前記第１ボデーの遠位部を内向きに傾斜させ、
（ｃ）第１インターロッキング要素を前記第１ボデーと第２ボデーが対向する側において対応する第２インターロッキング要素と係合させるのに十分な力を加え、そして
（ｄ）前記の力を取り除いて、前記第１ボデーと第２ボデーの少なくとも一方を、第１ボデーと第２ボデーとがインターロックされた、撓みのない状態に戻す、
ここで、前記第１ボデー及び第２ボデーの一方がパレットのベースであり、他方がパレットのデッキである。
【請求項２４】
工程（ｂ）が、前記第１ボデー及び第２ボデーに力を加えてこれらのボデーを撓ませることにより当該ボデーの反りを生じさせることを含み、ここで、前記第１ボデー及び第２ボデーは、前記第２インターロッキング要素を備える前記第２ボデーの遠位部を外向きに傾斜させるとともに、前記第１インターロッキング要素を備える前記第１ボデーの遠位部を内向きに傾斜させ、ここで、加える力の量は、前記第１ボデーと第２ボデーが対向する側において第１インターロッキング要素が対応する第２インターロッキング要素と係合するのを可能するものである、請求項２３に記載の方法。
【請求項２５】
前記第１及び第２ボデーが、これらのボデーを互いに対して水平に摺動させて、少なくとも１つの第１インターロッキング要素が少なくとも１つの第２インターロッキング要素と係合するのを達成することによりインターロックされる、請求項２３に記載の方法。
【請求項２６】
下記を含む、インターロック機構により連結された複数のボデーを分解する方法：
（ａ）下記を含むインターロック機構により相互連結された第１ボデー及び第２ボデーを含むアセンブリを用意し：
ｉ）少なくとも第１ボデー及び第２ボデー、ここで、該第１ボデーと第２ボデーの少なくとも一方は可撓性であって、それにより該第１ボデー上に設けた少なくとも１つの第１インターロッキング要素が該第２ボデー上に設けた少なくとも１つの対応する第２インターロッキング要素と係合することが可能となり、
ii）ここで、該第１及び第２のインターロッキング要素の少なくとも１つは他方のインターロッキング要素に対して内向き又は外向きに回転することにより、第１インターロッキング要素が対応する第２インターロッキング要素と係合することが可能になり、
iii）ここで、少なくとも１つの第１インターロッキング要素と第２インターロッキング要素との間に形成されたインターロック機構が、前記２つのボデーの少なくとも一方を、撓ませた後に撓みのない状態に戻した時にも保持され、そして
iv）ここで、前記少なくとも１つの第１インターロッキング要素及び第２インターロッキング要素が係合している時に前記第１及び第２のボデーはパレットの少なくとも一部を構成し、
（ｂ）前記第１ボデーと第２ボデーの少なくとも一方に、該ボデーを撓ませるようにこれに力を加えることにより反りを生じさせ、ここで、該第１ボデーと第２ボデーの少なくとも一方は、前記第２インターロッキング要素を備える前記第２ボデーの遠位部を外向きに傾斜させ、また前記第１インターロッキング要素を備える前記第１ボデーの遠位部を内向きに傾斜させ、
（ｃ）複数の第１インターロッキング要素を、第１ボデーと第２ボデーが対向する側において対応する複数の第２インターロッキング要素との係合から離脱させるのに十分な力を加え、そして
（ｄ）前記の力を取り除いて、前記第１ボデーと第２ボデーの少なくとも一方を、第１ボデー及び第２ボデーの係合が解除された、撓みのない状態に戻す。
【請求項２７】
工程（ｂ）が、前記第１ボデー及び第２ボデーに力を加えてこれらのボデーを撓ませることにより当該ボデーの反りを生じさせることを含み、ここで、前記第１ボデー及び第２ボデーは、前記第２インターロッキング部材を備える前記第２ボデーの遠位部を外向きに傾斜させるとともに、前記第１インターロッキング部材を備える前記第１ボデーの遠位部を内向きに傾斜させ、ここで、加える力の量は、前記第１ボデーと第２ボデーが対向する側において第１インターロッキング部材が対応する第２インターロッキング部材との係合から解除されるのを可能するものである、請求項２６に記載の方法。
【発明の詳細な説明】
【技術分野】
【０００１】
本発明は、パレット（荷役台）、並びにパレットを形成するようにインターロッキング（噛み合い連結）部材を用いてパレットを撓み組み立てすることによる、かかるパレットの製作方法に関する。
【背景技術】
【０００２】
木製パレットより利点があると考えられる成形樹脂パレットの改良については、多くの提案がなされてきた。しかし、市場ではいまだに木製パレットが主流であり、成形プラスチック製パレットは競合が難しいと思われてきた。
【０００３】
樹脂パレットの従来技術において認められている１つの提案は、成形された底面部材であるベースとは別に、上面部材であるデッキを成形し、これら２つの部材をインターロック（interlock, 噛み合い連結）することである。その例としては、米国特許第６,０２９,５８３；３,８３５,７９２；５,４１７,１６７；及び６,６２２,６４１が挙げられる。別の２つの米国特許第６,３５４,２２８及び５,３３３,５５５は、ボード又はスラット（割板）を弓状に撓ませてパレットストリンガーに嵌め込むことを提案している。これらの特許に提案されている相互連結部は、弱くて壊れやすいか、又はネジや接着剤のような別の締結手段（これは製造コストを増大させ、かつ別の問題を生ずる）を必要とするものであることがわかっている。パレット部材を溶接して結合することも行われてきたが、これが満足できるものであるとは判明していない。問題点として、使用する材料の溶接性、接合すべき大面積の全体への確実な溶接部の形成が困難であること、及び清掃のための分解ができないことが挙げられる。
【０００４】
鋼製の棒又は帯状片、ガラス若しくは炭素繊維その他の材料といった各種補強用インサート材を樹脂パレットに組み込んでその強度を高めることが行われてきた。これらの材料の使用は、一般に市場が負担できるより高いコストを生じ、パレットの耐久性にも問題を生ずる。
【０００５】
本書に記載した代表的な態様は、これらの欠点を克服する。一部の態様は、特に頑丈にインターロックされ、耐久性があり、かつフォークリフトやパレットジャッキで起こるような乱暴な取り扱いに耐えることができる、多断片（マルチピース）成形樹脂パレット及びコンテナ又（容器）を提供する。代表的な態様はまた、成形樹脂パレットの耐久性を高めつつその製造費用を低減するので、成形パレットが木製パレットと十分に競合しうるものとなる。
【発明の概要】
【０００６】
フレックスアセンブリ（本書では撓み組み立て又は撓みアセンブリともいう）は、下記工程１〜４により、それらの通常の状態では干渉しあう雄型と雌型の剛直な（非可撓性の）ロッキング機構を備えた２以上のボデーを確実に組み立て、かつ分解する方法である：
１．１又は２以上のボデーを、そのロッキング機構の少なくとも１つが通常の使用時に回される方向とは反対方向の角度で回転し、その相手方のロッキング機構との干渉を解消するように撓ませる；
２．前記ボデーのロッキング機構を係合させる；
３．前記ロッキング機構の係合を保持しながら撓み動作を弛緩させる；
４．場合により、上記プロセスを逆にして分解を行う。
【０００７】
いくつかの代表的な態様は、これまで得られたものより強力で丈夫なインターロック機構を付与しながら、締結具や接着剤を使用せずに、成形樹脂又は他の適当な材料のパレットデッキを成形樹脂又は他の適当な材料のパレットベースに確実に取付けるインターロック機構及びインターロック方法を提供する。この改善されたインターロック機構はまた、自動的に組み立てることができ、さらに清掃及び／又は部品の交換又は補修が必要になった時には分解することができる。
【０００８】
本インターロック機構が備える有効に動作する雄型部材と雌型部材は、本質的には可撓性ではないが、これらの部材が屈曲又は湾曲させることができる可撓性のスパンにより連結されていることで該インターロック機構の組み立てが可能になる。複数のインターロック間でスパンを屈曲させるか、反らせることにより、それらの離間距離が変化して、雄型部材又は凸部と雌型部材とを、撓み力を取り除いた時には有効動作状態になるようにインターロックすることが可能となり、各部分はその元の成形形態に戻るように弛緩される。このインターロック機構を達成するための可撓性スパンの屈曲又は反りは、好ましくはパレットに通常加えられる荷重力の作用とは逆向きとする。パレットの縁部で支持されるパレットの荷重力は、パレットの垂れ下がりを生ずる傾向がある。これに対して、本インターロック機構の形成を可能にする屈曲又は反りの動作は、好ましくは、パレットに加わる荷重力により生ずる垂れ下がり傾向とは逆の、アーチ又はドームを形成する動作とする。その結果、普通にパレットが遭遇する力では、この有効なインターロック機構を緩めたり損傷したりすることができないことになる。これにより、本発明の代表的態様に従ってインターロックされたパレットは、より強固となり、パレットが受けるさまざまなできごとや乱暴な取り扱いに対してより頑丈に耐えるようになる。
【０００９】
２以上のボデーを接合するためのインターロック機構の代表的態様は、（ａ）複数の第１凸部を備え、少なくとも２つの第１凸部が少なくとも１つのインターロッキング部材を備える第１ボデーと（ｂ）第２ボデーとを含み、該第２ボデーは、（ｉ）それぞれ対応する第１インターロッキング部材を受け入れるための第２ボデー内に設けられた複数の第２インターロッキング部材を備えるか、又は（ii）複数の第２凸部を備え、少なくとも２つの第２凸部がそれぞれ対応する第１インターロッキング部材を受け入れるための少なくとも１つの第２インターロッキング部材を備え、ここで、各第１インターロッキング部材は、前記第１ボデーと前記第２ボデーとをインターロックさせた時に対応する第２インターロッキング部材と係合するように位置し、かつ前記第１ボデーと第２ボデーの少なくとも一方の可撓性は、第２インターロッキング部材を備える前記第２ボデーの遠位部の外向きへの傾き、及び第１インターロッキング部材を備える前記第１凸部の遠位部の内向きへの傾きを可能にし、こうして第１ボデーと第２ボデーとが対向する側において複数の第１インターロッキング部材が対応する複数の第２インターロッキング部材と係合する。
【００１０】
さらなる態様において、第１ボデー及び第２ボデーの一方がパレットのベースであり、他方がパレットのデッキである。
【００１１】
別の代表的態様は、パレットを形成するためのインターロック機構を有するボデーのインターロック方法を提供する。この方法は、（ａ）（ｉ）複数の第１凸部を備え、少なくとも２つの第１凸部が少なくとも１つのインターロッキング部材を備える第１ボデー、及び（ii）複数の第２凸部を備え、少なくとも２つの第２凸部がそれぞれ対応する第１インターロッキング部材を受け入れるための少なくとも１つの第２インターロッキング部材を備える第２ボデーを用意し、ここで、各第２凸部は、前記第１ボデーと前記第２ボデーとをインターロックさせた時に対応する第１凸部と係合するように位置し、かつ前記第１ボデーと第２ボデーの少なくとも一方は、前記第２インターロッキング部材を備える前記第２凸部の遠位部の外向きへの傾きと、前記第１インターロッキング部材を備える前記第１凸部の遠位部の内向きへの傾きの少なくとも一方を可能にする可撓性を有していて、それにより複数の第１インターロッキング部材が前記第１ボデーと第２ボデーとが対向する側において複数の対応する第２インターロッキング部材と係合し、（ｂ）前記第１ボデーと第２ボデーの少なくとも一方の屈曲性部分を、該ボデーを撓ませるように該ボデーに力を加えることにより撓ませ、ここで該第１ボデーと第２ボデーの少なくとも一方は、前記第２インターロッキング部材を備える前記第２凸部の遠位部を外向きに傾斜させ、または前記第１インターロッキング部材を備える前記第１凸部の遠位部を内向きに傾斜させ、（ｃ）複数の第１インターロッキング部材を第１ボデーと第２ボデーが対向する側において対応する複数の第２インターロッキング部材と係合させるのに十分な力を加え、そして（ｄ）前記の力を取り除いて、第１ボデー及び第２ボデーをこれらのボデーがインターロックした、撓みのない状態に戻す、ことからなる。
【００１２】
さらなる態様において、第１ボデー及び第２ボデーの一方がパレットのベースであり、他方がパレットのデッキである。
【００１３】
さらに別の代表的態様は、インターロック機構により連結された複数のボデーを分解する方法を提供する。この方法は、（ａ）インターロック機構により相互連結された第１ボデーと第２ボデーとからなるアセンブリを用意し、該アセンブリは、（ｉ）前記第１ボデーの外周に沿って設けられた複数の第１凸部を備え、少なくとも２つの該第１凸部は少なくとも１つの第１インターロッキング部材を備えている第１ボデーと、（ii）複数の第２凸部を備え、少なくとも２つの第２凸部がそれぞれ第１インターロッキング部材を受け入れるための少なくとも１つの第２インターロッキング部材を備える第２ボデー、とから構成され、ここで、各第２凸部は、前記第１ボデーと第２ボデーとをインターロックさせた時に対応する第１凸部と係合するように位置し、かつ前記第１ボデーと第２ボデーの少なくとも一方は、第２インターロッキング部材を備える前記第２凸部の遠位部の外向きへの傾き及び第１インターロッキング部材を備える前記第１凸部の遠位部の内向きへの傾きの少なくとも一方を可能にするように撓み、それにより、複数の第１インターロッキング部材が、第１ボデーと第２ボデーとが対向する側において複数の対応する第２インターロッキング部材と係合し、（ｂ）前記第１ボデーと第２ボデーの少なくとも一方を、該ボデーを撓ませるように該ボデーに力を加えることにより反りを生じさせ、ここで、該第１ボデーと第２ボデーの少なくとも一方は、前記第２インターロッキング部材を備える前記第２凸部の遠位部を外向きに傾斜させ、または前記第１インターロッキング部材を備える前記第１凸部の遠位部を内向きに傾斜させ、（ｃ）複数の第１インターロッキング部材を第１ボデーと第２ボデーが対向する側において対応する複数の第２インターロッキング部材との係合から解放するのに十分な力を加え、そして（ｄ）前記の力を取り除いて、前記第１ボデー及び第２ボデーを、これらのボデーが係合していない、撓みのない状態に戻す、ことからなる。
【００１４】
さらなる態様において、第１ボデー及び第２ボデーの一方がパレットのベースであり、他方がパレットのデッキである。
【００１５】
さらに別の代表的態様は、下記を含む、複数のボデーを連結するためのインターロック機構を提供する：ａ）少なくとも第１ボデー及び第２ボデー、ここで該第１及び第２のボデーの少なくとも一方は可撓性であって、それにより該第１ボデー上の少なくとも１つの第１インターロッキング要素を該第２ボデー上の少なくとも１つの対応する第２インターロッキング要素と係合させることができ、ｂ）ここで、該第１及び第２のインターロッキング要素の少なくとも１つは他方のインターロッキング要素に対して内向き又は外向きに回転することにより、一方のボデー上の第１インターロッキング要素の他方のボデー上の対応する第２インターロッキング要素との係合を可能にし、ｃ）ここで、前記少なくとも１つの第１インターロッキング要素と第２インターロッキング要素との間に形成されたインターロック機構が、両ボデーの少なくとも一方を、撓ませた後に、撓みのない状態に戻した時にも保持され、そしてｄ）ここで、前記少なくとも１つの第１インターロッキング要素及び第２インターロッキング要素が係合している時に、前記第１及び第２のボデーはパレットの少なくとも一部を構成している。
【００１６】
さらなる態様において、第１ボデー及び第２ボデーの一方がパレットのベースであり、他方がパレットのデッキである。
【００１７】
さらに別の代表的態様は、パレットを形成するためのインターロック機構を有する複数のボデーのインターロック方法を提供する。この方法は、（ａ）ｉ）少なくとも第１ボデー及び第２ボデーを用意し、ここで、該第１ボデーと第２ボデーの少なくとも一方は可撓性であって、それにより該第１ボデー上の少なくとも１つの第１インターロッキング要素を該第２ボデー上の少なくとも１つの対応する第２インターロッキング要素と係合させることができ、ii）ここで、該第１及び第２のインターロッキング要素の少なくとも１つは他方のインターロッキング要素に対して内向き又は外向きに回転することにより、一方のボデー上の第１インターロッキング要素の他方のボデー上の対応する第２インターロッキング要素との係合を可能にし、iii）ここで、前記少なくとも１つの第１インターロッキング要素と第２インターロッキング要素との間に形成されたインターロック機構が、両ボデーの少なくとも一方を、撓ませた後に、撓みのない状態に戻した時にも保持され、そしてiv）ここで、前記少なくとも１つの第１インターロッキング要素及び第２インターロッキング要素が係合している時に前記第１及び第２のボデーはパレットの少なくとも一部を構成し、（ｂ）前記第１ボデーと第２ボデーの少なくとも一方の屈曲性部分を、該ボデーを撓ませるようにこれに力を加えることにより撓ませ、ここで、該第１ボデーと第２ボデーの少なくとも一方は、前記第２インターロッキング要素を備える第２ボデーの遠位部を外向きに傾斜させ、または前記第１インターロッキング要素を備える前記第１ボデーの遠位部を内向きに傾斜させ、（ｃ）第１インターロッキング要素を第１ボデーと第２ボデーが対向する側において対応する第２インターロッキング要素と係合させるのに十分な力を加え、そして（ｄ）前記の力を取り除いて、前記第１ボデーと第２ボデーの少なくとも一方を、第１ボデーと第２ボデーとがインターロックされた、撓みのない状態に戻す、ことからなる。
【００１８】
さらなる態様において、第１ボデー及び第２ボデーの一方がパレットのベースであり、他方がパレットのデッキである。
【００１９】
さらなる代表的態様は、インターロック機構により連結された複数のボデーを分解する方法を提供する。この方法は、（ａ）インターロック機構により相互連結された第１ボデー及び第２ボデーを含むアセンブリを用意し、ここで前記アセンブリは、ｉ）少なくとも第１ボデー及び第２ボデーを含み、ここで、該第１ボデーと第２ボデーの少なくとも一方は可撓性であって、それにより該第１ボデー上の少なくとも１つの第１インターロッキング要素を該第２ボデー上の少なくとも１つの対応する第２インターロッキング要素と係合させることができ、ii）ここで、前記第１及び第２のインターロッキング要素の少なくとも１つは他方のインターロッキング要素に対して内向き又は外向きに回転することにより、前記第１インターロッキング要素を対応する第２インターロッキング要素との係合を可能にし、iii）ここで、前記少なくとも１つの第１インターロッキング要素と第２インターロッキング要素との間に形成されたインターロック機構が、両ボデーの少なくとも一方を、撓ませた後に、撓みのない状態に戻した時にも保持され、そしてiv）ここで、前記少なくとも１つの第１インターロッキング要素及び第２インターロッキング要素が係合している時に前記第１及び第２のボデーはパレットの少なくとも一部を構成し、（ｂ）前記第１ボデーと第２ボデーの少なくとも一方に、該ボデーを撓ませるようにこれに力を加えることにより反りを生じさせ、ここで、該第１ボデーと第２ボデーの少なくとも一方は、前記第２インターロッキング要素を備える前記第２ボデーの遠位部を外向きに傾斜させ、または前記第１インターロッキング要素を備える前記第１ボデーの遠位部を内向きに傾斜させ、（ｃ）複数の第１インターロッキング要素を、第１ボデーと第２ボデーが対向する側において対応する複数の第２インターロッキング要素から離脱（係合解除）させるのに十分な力を加え、そして（ｄ）前記の力を取り除いて、前記第１ボデーと第２ボデーの少なくとも一方を、第１ボデー及び第２ボデーが係合解除された撓みのない状態に戻す、ことからなる。
【００２０】
さらなる態様において、第１ボデー及び第２ボデーの一方がパレットのベースであり、他方がパレットのデッキである。
【００２１】
他の分野及び／又は装置（例えば、輸送用コンテナ及び／又は建設用途）への本発明の利用可能性は以下の詳細な説明から明らかとなろう。以下の詳細な説明及び具体例は、本発明の開示のいくつかの態様を示すものであるが、例示のみを目的とし、特許請求する本願の範囲を制限する意図はないことは当然である。
【図面の簡単な説明】
【００２２】
【図１】まっすぐな物体及び屈曲した物体の中立軸の位置を示す。
【図２】ある代表的態様に従って相互連結された２部材型パレットの上面部材と底面部材を本のページのような状態で模式的に示す。
【図３】図２のパレットの上面部材と底面部材を反らせた状態で模式的に示す。
【図４】図２のパレットの上面部材と底面部材を組み立てた状態で模式的に示す。
【図５】要素の係合の量（インチ）とその要素の変形又は撓みに必要な力（ポンド）との関係を示す。この図は、ボデーの変形又は撓みのために加える力の量と生じた係合の量との関係を例示するものである。
【図６】図７と一緒にベースの屈曲の効果を模式的に示す。
【図７】図６と一緒にベースの屈曲の効果を模式的に示す。
【図８】図９と一緒にデッキの屈曲の効果を模式的に示す。
【図９】図８と一緒にデッキの屈曲の効果を模式的に示す。
【図１０】インターロックを達成するために辺（サイド）及び角部（エンド）を同時に屈曲することによるドーム形成効果を示す。
【図１１】パレットのデッキとベースとの間でセンターポストをインターロックするためのセンターポスト型アセンブリを示す。
【図１２】撓みと係合との関係を示す。
【図１３】撓みアセンブリ法により組み立てたパレットと、別のいくつかの方法により組み立てたパレットについてのパレット引き離し試験の比較結果を示す。
【図１４】ドーム偏位を用いた単撓み（シングルフレックス）の態様を示す。
【図１５】別の撓み用いた態様を示す。
【図１６】２方向撓みを用いた態様を示す。
【図１７】架橋フォークポケットの態様を示す。
【図１８】多断片（マルチピース）型デッキ要素の態様を示す。
【図１９】一体型ヒンジ（リビングヒンジ）を有するデッキの態様を示す。
【図２０】ヒンジにより連結された２部材を有するデッキの態様を示す。
【図２１】別個のロッキング部材を有するパレットの態様を示す。
【図２２】雌型ラグ（突出部）を有する壁面ボデーの態様を示す。
【図２３】雄型ラグを有する壁面ボデーの態様を示す。
【図２４】蓋を用いたフレックスアセンブリを示す。
【図２５】スナップロックと一緒に各種の代表的なインターロック機構を備えたパレットの態様を示す。
【図２６】差し込みロック（バヨネットロック）の代表的な態様を示す。
【発明を実施するための形態】
【００２３】
フレックスアセンブリ（撓み組み立て）とは、下記工程１〜４により、それらの通常の状態では干渉しあう雄型と雌型の剛直な（非可撓性の）のロッキング機構を備えた２以上のボデーを確実に組み立て、かつ分解する方法である：
１．１又は２以上のボデーを、そのロッキング機構の少なくとも１つが通常の使用時に回される方向とは反対方向の角度で回転し、その相手方のロッキング機構との干渉を解消するように撓ませ；
２．前記ボデーのロッキング機構を係合させ；
３．前記ロッキング機構の係合を保持しながら撓み動作を緩め；そして
４．上記プロセスを逆にして分解を行う。
【００２４】
１態様において、２以上のボデーを接合するためのインターロック機構は、（ａ）複数の第１凸部を備え、各第１凸部が雄型部材を備える第１ボデー、及び（ｂ）複数の第２凸部を備え、各第２凸部が、それぞれ雄型部材を受け入れる雌型部材を備える、第２ボデーを含み、ここで、各第２凸部は、前記第１ボデーと前記第２ボデーとをインターロックさせた時に対応する第１凸部と係合するように位置し、かつ前記第１ボデーと第２ボデーの少なくとも一方は場合によりキャンバー軸を有していてもよく、このキャンバー軸は、それを軸として第１ボデーと第２ボデーの少なくとも一方が、雌型部材を備える第２凸部の遠位部を外向きに傾斜させ、雄型部材を備える第１凸部の遠位部を内向きに傾斜させるように撓むことにより、第１ボデーと第２ボデーが対向する側において複数の雄型部材が対応する複数の雌型部材と係合するようになる。
【００２５】
本明細書及び特許請求の範囲に記載する代表的な各態様において、１つのボデーに設けた雄型又は雌型のインターロッキング要素とは、これが第１ボデーであると考えるなら、第１インターロッキング要素及び／又は部材であると言うことができ、第２ボデーに設けた対応する雌型又は雄型のインターロッキング要素は、第２インターロッキング要素及び／又は部材であると言うことができることは認められよう。また、各ボデーは、多様な組み合わせ、配置及び幾何学形状の雄型及び／又は雌型のインターロッキング要素を備えることができることも当然認められるべきである。インターロッキング要素は雄型及び雌型のインターロッキング機構を有することができ、この場合は、「第１」及び「第２」の用語の使用がより適切であるかもしれない。
【００２６】
別の態様において、第１ボデー及び第２ボデーはパレットのベース及びデッキである。
さらに別の態様において、前記第１及び第２のボデーの少なくとも一方は、その要素の中央に設けられた少なくとも１つの追加の凸部をさらに含んでいる。
【００２７】
さらに別の態様では、前記第１及び第２のボデーの少なくとも一方は平板状である。
さらに別の態様において、前記第１及び第２のボデーは両方とも平板状である。
【００２８】
１態様において、前記第１及び第２のボデーの一方が平板状で、他方のボデーは少なくとも部分的に反りがある。
【００２９】
別の態様において、前記第１及び第２のボデーの一方が平板状で、他方のボデーはドーム型である。
【００３０】
さらなる態様において、前記雄型部材がフランジ（さねはぎの「さね」）であり、前記雌型部材が溝（グルーブ）である。
【００３１】
別の態様において、前記第１及び第２のボデーは両方とも反っているか、又はドーム形状である。
【００３２】
さらに別の態様において、前記第１の平板状ボデー及び前記第２の平板状ボデーの両方が１つのキャンバー軸を有し、このキャンバー軸を軸として、第１平板状ボデー及び第２平板状ボデーが、前記雌型部材を備える第２凸部の遠位部を外向きに傾斜させ、前記雄型部材を備える第１凸部の遠位部を内向きに傾斜させるように撓むことにより、第１ボデーと第２ボデーが対向する側において複数の雄型部材が対応する複数の雌型部材と係合するようになる。
【００３３】
さらなる態様において、前記第１ボデー及び前記第２ボデーの少なくとも一方が２つのキャンバー軸を有し、これらのキャンバー軸を軸として、第１ボデーと第２ボデーの少なくとも一方が、前記雌型部材を備える第２凸部の遠位部を外向きに傾斜させ、前記雄型部材を備える第１凸部の遠位部を内向きに傾斜させるように撓むことにより、第１ボデーと第２ボデーが対向する側において複数の雄型部材が対応する複数の雌型部材と係合するようになる。
【００３４】
さらに別の態様において、前記第１の平板状ボデー及び前記第２の平板状ボデーの両方が２つのキャンバー軸を有し、これらのキャンバー軸を軸として、第１平板状ボデー及び第２平板状ボデーが、前記雌型部材を備える第２凸部の遠位部を外向きに傾斜させ、前記雄型部材を備える第１凸部の遠位部を内向きに傾斜させるように撓むことにより、第１ボデーと第２ボデーが対向する側において複数の雄型部材が対応する複数の雌型部材と係合するようになる。
【００３５】
１態様において、前記第２ボデーは、第２要素の角に位置する複数の第２凸部を備え、それぞれ対応する雄型部材を受け入れるための雌型部材は角をなす（カギ型に曲がっている）。
【００３６】
別の態様において、前記第１ボデーと第２ボデーの少なくとも一方は一体型ヒンジ又はヒンジを含む。
【００３７】
さらに別の態様において、前記第１ボデーと第２ボデーの少なくとも一方は複数の断片を含む。
【００３８】
別の態様において、前記複数の断片はヒンジにより連結されている。
さらに別の態様において、前記インターロック機構は、前記第１及び第２のいずれの要素にも損傷を与えることなく前記第１及び第２のボデーを分解することを可能にする。
【００３９】
別の態様において、インターロック機構を有する一対のボデーをインターロッキングする方法は、（ａ）（ｉ）複数の第１凸部を備える第１ボデーであって、該第１凸部は場合により該第１ボデーの外周部又は端部に沿って位置していてもよく、各第１凸部は１つの雄型部材を備える第１ボデー、及び（ii）複数の第２凸部を備える第２ボデーであって、該第２凸部は場合により該第２ボデーの外周部又は端部に沿って位置していてもよく、各第２凸部がそれぞれ対応する雄型部材を受け入れる１つの雌型部材を備える第２ボデーを用意し、ここで、各第２凸部は、前記第１ボデーと前記第２ボデーとをインターロックさせた時に対応する第１凸部と係合するように位置し、かつ前記第１ボデーと第２ボデーの少なくとも一方は１つのキャンバー軸を有し、このキャンバー軸を軸として、前記第１ボデーと第２ボデーの少なくとも一方が、前記雌型部材を備える第２凸部の遠位部を外向きに傾斜させ、または前記雄型部材を備える第１凸部の遠位部を内向きに傾斜させるように撓むことにより、第１ボデーと第２ボデーが対向する側において複数の雄型部材が対応する複数の雌型部材と係合するようになり、（ｂ）前記第１ボデーと第２ボデーの少なくとも一方に、当該ボデーに力を加えることにより反りを生じさせて、当該ボデーを撓ませると同時にキャンバー軸を形成し、ここで該第１ボデーと第２ボデーの少なくとも一方は、前記雌型部材を備える前記第２凸部の遠位部を外向きに傾斜させ、また前記雄型部材を備える前記第１凸部の遠位部を内向きに傾斜させ、（ｃ）前記第１ボデーと第２ボデーが対向する側において複数の雄型部材を対応する複数の雌型部材と係合させるのに十分な力を加え、そして（ｄ）前記の力を取り除いて、前記第１ボデー及び第２ボデーをこれらのボデーがインターロックしている撓みのない状態に戻るのを可能にする、ことからなる。
【００４０】
さらなる態様において、インターロックにより連結された複数のボデーを分解する方法は、（ａ）インターロック機構により相互連結された第１ボデー及び第２ボデーを含むアセンブリを用意し、ここで、該アセンブリは、（ｉ）場合により第１ボデーの外周部又は端部に沿って配置されていてもよい複数の第１凸部を備え、各第１凸部は少なくとも１つの雄型部材を備えている第１ボデーと、（ii）場合により第２ボデーの外周部又は端部に沿って配置されていてもよい複数の第２凸部を備え、各第２凸部はそれぞれ対応する雄型部材を受け入れる少なくとも１つの雌型部材を備える第２ボデーとから構成され、ここで、各第２凸部は、前記第１ボデーと前記第２ボデーとをインターロックさせた時に対応する第１凸部と係合するように位置し、かつ前記第１ボデーと第２ボデーの少なくとも一方は１つのキャンバー軸を有し、このキャンバー軸を軸として、前記第１ボデーと第２ボデーの少なくとも一方が、前記雌型部材を備える第２凸部の遠位部を外向きに傾斜させ、また前記雄型部材を備える第１凸部の遠位部を内向きに傾斜させるように撓むことにより、第１ボデーと第２ボデーが対向する側において複数の雄型部材が対応する複数の雌型部材と係合するようになり、（ｂ）前記第１ボデーと第２ボデーの少なくとも一方に、当該ボデーに力を加えることにより反りを生じさせて、当該ボデーを撓ませると同時にキャンバー軸を形成し、ここで該第１ボデーと第２ボデーの少なくとも一方は、前記雌型部材を備える第２凸部の遠位部を外向きに傾斜させ、また前記雄型部材を備える第１凸部の遠位部を内向きに傾斜させ、（ｃ）第１ボデーと第２ボデーが対向する側において複数の雄型部材を対応する複数の雌型部材との係合から解放させるのに十分な力を加え、そして（ｄ）前記の力を取り除いて、第１ボデー及び第２ボデーをこれらのボデーが係合していない、撓みのない状態に戻るようにする、ことからなる。
【００４１】
さらに別の態様において、インターロック機構により連結された複数のボデーを分解する上記方法の工程（ｂ）は、前記第１ボデー及び第２ボデーに力を加えて当該ボデーの反りを生じさせることにより当該ボデーを撓ませてキャンバー軸を形成することを含み、ここで、前記第１ボデー及び第２ボデーは、前記雌型部材を備える第２凸部の遠位部を外向きに傾斜させるとともに、前記雄型部材を備える前記第１凸部の遠位部を内向きに傾斜させ、ここで、加える力の量は、第１ボデーと第２ボデーが対向する側において複数の雄型部材を対応する複数の雌型部材からの係合解除を可能するものである。
【００４２】
代表的態様では、それらに限定されないが、樹脂、木材、金属、複合材料、ブレンド、それらの組み合わせなどをはじめとする多様な材料を使用することができる。
【００４３】
本発明は以上に述べた特定の態様に制限されるものではないことはいうまでもない。また、本書に用いた用語は特定の態様だけを記述するためであり、本発明の範囲は特許請求の範囲だけにより限定されるので、制限を意図するものではない。
【００４４】
特に指摘のない限り、本書で用いた技術用語及び科学用語は当業者が普通に理解するのと同じ意味である。本書に記載したものと類似又は均等なあらゆる方法及び材料を代表的態様の実施又は試験に使用することができるが、具体的なこの方法及び材料について以下に説明する。
【００４５】
図１は、まっすぐ及び屈曲した物体の中立軸の位置を示す。中立軸は、それに沿って長手方向の応力又は歪が存在しないビーム又はシャフトの断面における軸である。その切断面が対称かつ等方性で、屈曲が起こる前には湾曲していない場合には、中立軸は幾何学重心である。中立軸の片側の材料が引っ張り状態にある場合には、中立軸の反対側の材料は圧縮状態にある。図１において中立軸はＸで示されている。
【００４６】
本書に記載したパレット及びコンテナは、デッキ、ベース、壁材及びトップといった複数のボデーから構成される。ボデーは、その本来の可撓性により撓むことができるか、又は一体型ヒンジ若しくはヒンジなどを用いて意図的に撓むように設計されている。ボデーを撓ませると、下記の幾何学作用を生ずる：
・中立軸に沿った凹面側の点及び中立軸に近い凸面側の点は収束する、
・中立軸からさらに遠く離れた凸面側の点は発散する、
・その撓みのない状態に対してボデー内に回転角を生じ、それは屈曲の中心からの距離につれて増大する。
【００４７】
図２は、パレットのベース２０及びデッキ２５という２つのボデーを模式的に示し、これらのボデーは、本発明の１態様に従って一体に折り畳まれて、インターロックされるように配置される。図を単純化し、２つのパレット部品のインターロッキングをより容易に理解できるようにするため、樹脂パレットに組み込まれている通常の補強リブ、ガセット（隅板）、及びチャネルは、全ての図面において模式図から削除されている。
【００４８】
さまざまな図面に示されているインターロッキング要素は、雄型と雌型のインターロッキング要素を備える。これらの図面は、可能な形態・配置を示すための代表的な態様として示したものである。別の態様では、図に示した雄型と雌型の要素を互いに置き換えることができる。別の態様では、１つのボデーに設けた雄型又は雌型の要素を、雄型要素と雌型用途との組み合わせに代替することができ、その場合の第２のボデーは対応する要素を有することになる。多様なインターロッキング要素を、多様な組み合わせ、形態・配置及び幾何学形状で提示することができ、これらの要素は、それらを設けたボデーと同じ又は異なる材料から構成することができる。
【００４９】
パレットは、典型的には、直立したペデスタル又はカラム２１を有するベース２０から構築され、パレットベースの矩形の各辺には３つずつのカラムが配置されている。「ペデスタル」又は「カラム」なる用語は、その上に位置する構造物の重みを該ベースの底部と接触している表面に伝える構造要素を意味する。ペデスタル又はカラムの形状及び配置は、後述するインターロッキング用の雄型及び雌型の部材がペデスタル、カラム又はボデーそれ自体に直接設けられている限り、図示のものから変更することができる。１態様において、カラムはほぼベースの四隅の位置に一つずつ配置され、さらにベースの四辺の各片にも２つの角カラムのほぼ中間位置に一つずつカラムが配置される。これにより、８個のカラム２１がベースの縁部に沿って設けられることになる。また、中心カラム３０をベースの中心に配置することができる。中心カラム３０は、周辺カラムとは異なる形とすることができる。パレットのトップ、すなわちデッキは、８個の対応するカラム２６を有し、これらのカラムは下方に向かってそれぞれの対応するベースのカラム２１と出会ってインターロック機構を形成する。ベースのカラムがデッキのカラムと出会う領域は、雄型部材及び雌型部材の形態をとる確実動作のインターロック機構を備えることが好ましい。図１〜３に示すように、雄型部材２２及び２３をベースのカラム２１に形成し、雌型部材２７及び２８をデッキのカラム２６に形成することができる。ただし、この配置を逆転させてもよい。別の態様では、パレットのトップ又はデッキは、ベースの中心カラム３０と接触する中心カラム３１を有することができる。
【００５０】
図２〜４は、ベース１２から上に向かう８個の周辺カラム２１を示す。各カラムは雌型部材の形態のインターロック機構を有し、これらの雌型部材が、パレットのデッキ２５から下に向かう対応するカラム２６の凸部とインターロックすることができる。この態様では、雄型部材２７は角をなして（カギ型に）配置され、パレットデッキ２５の四隅の角の領域に向かい合っている。さらに、直線状の雄型部材２８がデッキ２５の各辺の中心に配置されていて、その雄型部材に最も近い外縁に向かい合っている。パレットベース２０に設けた対応する角をなす雌型部材２２は、角をなす雄型部材２７を受け入れるように位置しており、パレットベース２０の各辺の中間に設けた直線状雌型部材２３がパレットデッキ２５の直線状雄型部材２８を受け入れる。これらの形態・配置は広く変更可能である。
【００５１】
パレットのベース２０及びデッキ２５の周辺領域でインターロックする雄型部材２７及び２８と雌型部材２２及び２３は、それら自体は比較的剛直で非可撓性である。可撓性であるほとんどのスナップファスナーとは異なり、代表的態様で提案している雄型部材及び雌型部材は、それらの動作において強靱かつ耐久性があり、確実動作（ポジティブ）で、非可撓性である。当業者であれば、剛直なる用語は、その材料が可撓性ではなく、屈曲させたり、その通常の形状から無理に変形させたりすることができないことを意味することを理解しよう。当業者はまた、可撓性又は撓み性なる用語は、その材料を破断させずに屈曲させたり、撓ませたりすることができることを意味することも理解しよう。ボデーの変形又は撓みに必要な力（ポンド）と係合量（インチ）との関係のグラフを図５に示す。この図は、あるボデーの変形又は撓みを生じさせるのに加える力の量と生じる係合の量との関係を示す。
【００５２】
ベース２０及びデッキ２５の突き合わせに向かい合っているカラム２１及び２６の間を相互連結している樹脂又は他の適当な材料（例、鋼、アルミニウム、複合材料又は木材）のスパンは、ベース２０及び／又はデッキ２５を、雄型部材と雌型部材とのインターロックを可能にする、反った状態に撓ませるのに十分な可撓性を有する。各種態様において、ベースは雄型及び雌型の要素を係合させるように撓むが、雄型及び雌型の要素は剛直である。これは、係合要素の方が撓んで、ボデーは比較的剛直であるスナップ−タブ係合方法とは異なる。（ただし、代表的態様では、さらなる強度及び／又は剛性を得るためにスナップ−タブ又はスナップ嵌めを利用することができる。）このことは、１例としてベース２０を用いた図６及び７に最もよく模式的に示されている。カラム２１はベース２０から上に向かっており、雌型部材（雌型要素）２２が、ベース２０より上に、オフセット距離２４をとって設けられている。ベース２０の普通のフラットな形態が図６に示されている。このフラットな形態における２つのカラム２１間の距離をインターロック距離と称する。ベース２０を図７に示す方向に撓ませると、カラム２１をベース２０と連結している樹脂又は他の適当な材料は可撓性であってベース２０を屈曲させて反らせた形状にするので、雌型部材の構造は図７に示すような形状に変化する。カラム２１の遠位部は、撓みのない状態でのその位置に対して外向きに移動し、カラム２１の近位部は、撓みのない状態でのその位置に対して内向きに移動する。ベース２０の撓みにより、カラム２１は、撓みのない状態でのその元の角度に対して、角度θで位置するようになる。ベース２０の撓みはまた、２つのカラム２１の間の距離を増大させ、カラム２１間の距離は図７に示すような撓み距離になる。これにより、カラム間がやや離れるように広がるので、上に重ねたパレットデッキからの雄型部材が雌型部材２２の中に嵌まり込むことができるようになる。
【００５３】
これを別のやり方で表現すると、ベース２０の屈曲により、カラム２１は角度をなすように向きを変えて、カラム間が離れるように広がり、雌型部材２２の離間距離が逸脱距離分だけ増大する。この逸脱距離は次に説明するようにして算出できる。
【００５４】
２つのカラム間に生じうる離間距離の増大量は、ボデー及びカラムを構成する材料の性質、ボデーに組み込まれる補強用リブ、ガセット及びチャネルの形態・配置、ボデーを撓ませるのに用いた力の量、並びにボデーを撓ませるためにボデーを押しつけることができる物体の形状及びサイズを包含するいくつかの因子に依存して変動する。
【００５５】
ボデーに必要な屈曲量は、ロッキング要素の向き及び形態・配置に依存して変動しうる。カラムのベースから雌型部材までの距離は、雄型部材と雌型部材とを係合させるために増大させなければならないカラム間の開きの距離量を決めるのに重要な因子である。これがそうでありうるのは、屈曲が角度θを生じ、それに応じてカラムが移動するからである。ベースからカラム上の雌型部材の位置（高さ）までの距離が大きいほど、同じ角度θから生ずる離間の量が大きくなる。角度θのｓｉｎｅ値×オフセット距離２４の積は、２つの雌型部材２２間における空間離間距離の増大量を与える。図７に示すように、可撓性ベース２０から雌型部材２２までのオフセット距離２４が大きいほど、ベースを撓ませた時の雌型部材が移動する逸脱距離量が大きくなる。撓み性ベース２０から雌型部材２２までのオフセット距離２４に依存して、図７に示すようなベース２０の屈曲は、デッキ凸部の雄型部材２７をベースの雌型部材２２内に直接嵌入させて組み立てを行うのに十分なものとなる。１態様において、まずボデーの１辺に沿って位置する１組の雄型部材だけを対応する雌型部材内に挿入することにより、必要な屈曲量を低減させることができる。
【００５６】
デッキ２５を図８に示すその普通の状態と、図９に示すその反らせた状態との間で撓ませると、上記とは反対の作用を生ずる。雄型部材２７についてはデッキ２５からのオフセット距離は小さいが、それでも、図９に示すように、デッキ２５を反らせると、雄型部材２７の凸部間距離はより短くなる。パレットは、荷重を支えるデッキの上面とカラムを支持する底面ストラップとの間に約５インチの離間を必要とする。インターロック機構は、５インチのカラムの中間に位置するように、或いはいずれかの端部のより近くに位置するように設計することができる。インターロック機構の配置は次に、上面又は底面の屈曲性によっても影響されうる。例えば、パレットの底面が上面のデッキより可撓性が大きく、かつインターロック機構を上面と底面の間のカラムの中間より上方に位置させて、ベースの屈曲が、デッキのインターロック機構を受け入れるのに十分な離間距離でベースのインターロックを広げるようにすることができる。また、ベースとデッキをそれぞれの屈曲が両者の間の最適なインターロックに必要なものとなるように設計することも可能である。
【００５７】
図７及び図９に示した右側の三角形は、インターロック機構の雄型部材と雌型部材とを組み立てるのに必要な屈曲角度を模式的に誇張して示す。ベースのカラムに設けた雌型部材はベースの屈曲可能スパンからのオフセット距離２４を有する。右側の三角形は、カラム２１の屈曲角度θのｓｉｎｅ値にオフセット距離を乗ずると、ベース２０を反らせた時に雌型部材２２間の逸脱離間距離又は撓み距離の増大量を求めることができることを示している。
【００５８】
同様に、図９に示した三角形も、角度θのｓｉｎｅ値に最小オフセット距離２９を乗じた積を用いて、デッキ２５を図９に示す位置に反らせた時に、デッキ２５の雄型部材２７がより短い撓み距離に移動することを示すことができる。他方を受け入れる２つのボデーの一方だけを屈曲さることによりパレットを組み立てることができる。これは、どちらのボデーがより長いオフセット距離でより高いカラムを有するかに依存する。
【００５９】
そのロッキング機構が、屈曲の中立軸に実質的に平行に組み立てられるボデーは、ロッキング機構ためのアセンブリのクリアランスを作り出すのに、ボデーに沿った地点の収束及び発散を最も効果的に用いる。２つの平行なボデーを同じ方向に同じ量で撓ませた場合は、積み重ねた紙をずらした時のように、それらの表面は実質的に平行なままである。それにより、ロッキング機構は滑り動作で係合することができるようになる。２つのボデーの一方だけを撓ませた場合には、ロッキング機構は滑りと回転が複合した動作で係合することができる。一部の態様では、ボデーの係合は、一方のボデーを他方のボデー（反らせたか又は弛緩させた状態にある）に対して水平に滑らせて、一方のボデーのインターロッキング要素を他方のボデーの対応するインターロッキング要素と係合可能にすることにより達成できる。この場合、回転動作に適合させるのに必要なクリアランスを解消するために、湾曲したロッキング機構を使用することが好ましいかもしれない。ある距離だけ離間させて設けられた平行なボデーは、幾何学効果を増幅させるために屈曲の中立軸から離れた凸部を効果的に使用することができ、より大きなロック係合を与えることができる。
【００６０】
そのロッキング機構が屈曲の中立軸に対して実質的に垂直に組み立てられるボデーは、回転角を最も効果的に用いて、ロッキング機構のためのアセンブリクリアランスを創出する。
【００６１】
ロッキング機構が屈曲中心から遠くに位置するほど、より大きな係合の深さを得ることができる。この理由から、好ましい１形態は、ボデーの外周部又は端部に設けたロッキング機構を備える。
【００６２】
ほとんどの場合、ロッキング機構の一部は、ボデーを変形させずに係合させることができる。場合によっては、一連の撓み工程でボデーを撓ませることによりロッキング機構を係合させなければならないことがある。この場合には、まだ係合していないロッキング機構を離間させるために二次的な撓みを必要とすることがある。一部の場合には、ロッキング機構をドーム様式で撓ませることにより係合させることができる。
【００６３】
インターロック機構がベースとデッキとの間に張力を確立するようにインターロック機構の雄型部材と雌型部材を設計することもできる。このような張力により、荷重がパレットデッキに加わった時に平らになるような非常に僅かの反りの状態にベースとデッキを保持することができる。これにより、インターロック力が２つのパレットボデーを常にしっかりしたインターロック状態に保持することを確実にすることができる。このインターロック張力は、好ましくは、デッキのインターロックに圧縮力を、ベースのインターロックには張力を使用する。別の好ましいパレットインターロック機構の設計は、インターロックのホーム位置では一緒に着座するデテント（移動止め）を形成することである。デテントは、インターロック機構が互いに完全に係合した時に、クリック音を生ずる。デテントはまた、パレットの組み立てを、その分解時に必要な力よりいくらか小さい力で行うことができるような構造とすることもできる。
【００６４】
本発明の代表的態様に係る２部材型樹脂パレットの設計の別の因子として考えられるは、使用する材料の物理的及び化学的特性である。インターロックが強靱で長寿命であるのを確保するために、応力、歪、クリープ及びその他の観点からの検討を使用することができる。
【００６５】
パレットのベース及びデッキの反りの屈曲は、同時に２つの垂直な軸に対して行うこともでき、こうして図１０に示すようなドーム型効果を生ずる。これは、これらの部材を、１辺から他辺に向かう方向だけでなく、それらの辺の一端から他端への方向にも撓ませることができ、例えば、パレットの片割れ（２部材）のそれぞれをドーム形状に撓ませて、雄型部材と雌型部材を全て同時に嵌め合わせることができる状態にすることができる。必要となるのは、パレットの中央部に引き上げ力を加えてベース及びデッキをドーム型の反り形状にしながら、パレットの部材２０及び２５の両側の辺と両端を一緒に接触状態に保持するための固定機構である。これにより、雄型部材及び雌型部材は、それらをインターロックさせることができるそれらの撓み距離に移動する。引き上げ力が緩み、ベース２０及びデッキ２５がそれらの元の形態に戻ると、インターロック機構は両要素をしっかり一体に固定する。得られたアセンブリは特に強靱で耐久性があり、パレットの荒っぽい寿命の間も破損や分離に耐える。
【００６６】
両部材のドーム化又は反りの屈曲はまた、パレットが荷重を支える時に受ける移動方向に対して反対方向でもある。パレットのデッキとベースとが、それらが一体に嵌まり合うまでこれらの部材を撓ませるかドーム化することによりインターロックされると、パレットはその普通の使用中には、その部材を反らしたり、ドーム化したりする形態（インターロック機構を組み立てるのに必要な形態）に屈曲させる力に遭遇することはないので、パレットの寿命の間、両部材は頑丈にインターロックされた状態にとどまる。他方、組み立てられたパレットは、ドーム形態に撓ませて、清掃、部品又は部材の交換又は他の修理のために雄型部材と雌型部材とのロックを解除することができる。
【００６７】
以上をまとめると、インターロック機構の組み合わせは、撓むことのない、嵌合する雄型部材及び雌型部材を含むことができ；前記雄型部材及び雌型部材はそれぞれのボデー上に配置され、該ボデーの少なくとも一つが複数インターロック間のスパンで可撓性であり；前記雄型部材及び雌型部材は、前記可撓性ボデーからあるオフセット距離（ｏｄ）だけオフセットされていて、ボデーの撓みによりインターロック機構が角度θの角度をなすように傾き、インターロック機構は逸脱距離（ｄｄ）だけ撓みのない位置から離脱するようになり；インターロック機構の逸脱距離（ｄｄ）は、角度θのｓｉｎｅ値にインターロック機構の該要素からのオフセット距離（ｏｄ）を乗じた積に等しく；そして撓みにより生ずる逸脱距離は、ボデーをインターロック状態に組み立て、又はボデーをインターロック状態から分離して分解するのに十分である。
【００６８】
組み合わせる一対のボデーを連結する、対をなして嵌合する雄型部材及び雌型部材を有するインターロック機構は、下記を含むことができる：前記ボデー上でインターロック距離だけ離間している複数のインターロック機構；前記ボデーはインターロック間のスパンにおいて可撓性であって、ボデーを撓ませると、前記インターロック機構はそれぞれの角度θの角度を形成するように傾き；前記インターロック機構の雄型部材及び雌型部材は、可撓性ボデーのスパンからそれぞれのオフセット距離（ｏｄ）だけオフセットされており；ボデーが撓んでインターロック機構を傾かせると、インターロック機構は前記インターロック距離からそれぞれの逸脱距離（ｄｄ）だけ移動し；それぞれの逸脱距離（ｄｄ）は、それぞれの角度θのｓｉｎｅ値にそれぞれのオフセット距離（ｏｄ）を乗じた積に等しく；そしてそれぞれの逸脱距離の合計だけインターロックが移動すると、インターロック機構の組み立て又は分解が可能となる。
【００６９】
組み合わせるパレットのベース及びデッキを連結する、対をなして嵌合する雄型部材及び雌型部材を有するインターロック機構は、下記を含むことができる：前記ベースのスパンによりインターロック機構が離間しており；このベースのスパンはインターロック機構を傾かせて離間させる反りを生ずるように屈曲させるのに十分に可撓性であり；そしてインターロック機構を傾かせて離間させると、雄型部材と雌型部材をインターロックさせることができ、このインターロック動作は、前記インターロック機構を傾かせて離間させない限り実行できない。
【００７０】
剛直な雄型部材及び雌型部材を備えたインターロック機構を有する一対のボデーをインターロックする方法は下記を含むことができる：前記ボデーの片方の可撓性スパンの距離だけ離間させてインターロック機構を配置し；前記インターロック機構の雄型部材及び雌型部材を前記ボデーの可撓性スパン位置からオフセットさせ；ボデースパンを撓ませて、インターロック機構を傾かせて向きを変えることにより撓みのない状態から離脱させ；雄型部材と雌型部材との組み立て又は雄型部材と雌型部材の分解のための唯一の非破壊的手段としてボデースパンの撓みからのインターロック機構の離脱を利用する。
【００７１】
複数のインターロック機構により相互連結された一対のボデーは、下記を含む組み合わせで存在することができる：ボデーの当初の状態では組み立てることができない剛直な雄型部材及び雌型部材を有するインターロック機構；ここで、ボデー上のインターロック機構は、少なくとも一方のボデーの当初の状態からの屈曲によりインターロック機構を傾かせることによってインターロック機構の組み立て及び分解が可能となる状態になるように配置され；そして、インターロック機構を組み立てると、それらは可撓性要素を撓ませない限り分解することができない。
【００７２】
代表的態様では、ボデー部品を、中心ピボット点の周囲の多くの軸上で撓ませながら組み立てることが可能となる。可能な撓み軸としては、パレットの短辺若しくは長辺を横断する方向の軸、部品の中心を通る任意の斜め方向の軸、又は部品の中心を頂点とするドーム形状に部品を撓ませることにより部品の中心を通る全ての軸を挙げることができる。好ましい態様は、次の具体的な順序で撓ませるものである：まず短辺軸に沿って撓ませて、パレットの長辺側の中心の要素又は部材をロックし、次にパレットの長辺に沿って撓ませて、コーナー（角）とパレットの短辺側の中心の要素又は部材を同時にロックする。
【００７３】
複数の撓みロックを、各外周部材又は要素の内部又は外部に、パレットの上部デッキの下側で突き出るように配置することができる。１好適態様では、ロックは、パレットの各部材又は要素からパレットの中心に向かって組み立てのための回転方向に設けられる。この幾何学形状では、パレットのベースが部材又は要素の構造に固定されて、上部デッキの下側で片持ち（カンチレバー）状態に突き出ることができるので、部材又は要素間の有効スパンを低減させることによりパレットの偏位（偏り）が実質的に低減する。これらの機構を隣接の部材又は要素に到達するように延設することで、ワンピース（１部材）型パレットに近づけることができる。
【００７４】
組み合わせてインターロックされた一対の略平行なボデーは、インターロック機構の雄型部材及び雌型部材を含み、これらの要素は剛直で、ボデーの可撓性スパンにより離間していることで、ボデーのスパンを撓ませることによりインターロック機構の離間距離が変化し、ボデーのスパンを撓ませない限り可能ではない手法で、インターロック機構を一体に組み立てることができるようになる。
【００７５】
次に説明する式は代表的なツーピース（２部材）型パレットの態様についてのものであり、これらの式は、どのようにしてパレットボデーの一方の撓み角が図７及び図９に示した角度θを決め、それにより、カラムの開きによりしっかりしたインターロック嵌め合いを得てボデーの両側で雄型部材を対応する雌型部材と係合させるために雄型部材と雌型部材との間で利用可能な係合の長さを算出できるかを示す。１態様において、カラムに求められる移動距離（又はそれが成す角度）は、まず、ボデーの１辺に沿って設けられた一組の雄型部材を対応する雌型部材に挿入することにより低減させることができる。
【００７６】
前記の式を単支持ビームに当てはめる。ここで、ビームの長さは２Ｌであり、Ｘ＝Ｌ、すなわち、ビーム長さの１／２である。角度θについての式がＹについての式に対して導かれ、Ｘに対するＹの微分が偏位曲線の傾き（勾配）となる。適度に典型的な値を代入すると、所望の角度θを得るための撓みによる偏位を調整することにより約０.１２５〜約０.７５インチの係合範囲（好ましい範囲は約０.２５〜約０.５インチ）となる。オフセット距離（ｏｄ）はパレット内で約５インチに制限されるが、パレットの一方の部材については実質的に小さくすることができる。デッキとベースは約５インチのｏｄを分担することができ、分担の割合はそれぞれのボデーの剛性（スティフネス）に関係することができる。雄型部材と雌型部材との係合はまた、デッキとベースとの間で突き出ているカラム又は脚部のサイズに制限される。樹脂及び他の適当な材料のパレットのカラムの設置面積は、好ましくは約５〜９インチの範囲内であるので、これは約０.１２５〜約０.７５インチの範囲内（好ましい範囲は約０.２５〜約０.５インチ）の好ましいｏｄ係合距離に必要な大きさよりはるかに大きい。好ましい結果のグラフを図１２に示す。
【００７７】
【数１】
2013530899.tif 000003
【００７８】
次の式は、２部材型パレットの代表的態様の上部ボデー及び下部ボデーの慣性モーメントに対する比例的剛性を示す。上部デッキは１インチ厚みのビームについて、下部ベースは０.５インチ厚みのビームについて計算を行う。全体のパレット高さは５インチに設定する。この情報をあてはめて重心を算出し、最終的に、確実動作で相互作用する雄型部材と雌型部材とでデッキとベースを一体に確実に締結することにより得られた剛性の増加比を算出する。式に示す典型的な計算では、パレットのデッキとベースをしっかりインターロックすると剛性の約６５：１の増大比になる。このような比の好ましい範囲は約４０〜約８０：１となる。
【００７９】
【数２】
2013530899.tif 000004
【００８０】
図１１は、パレットのベース２０とデッキ２５との間の中心ポストをインターロックする手法を示す。図示の簡略化のため、ベース２０には四隅のコーナー脚部しか示していないが、本来は合計８個の四隅及び各辺の脚部を使用することが好ましい。ベース２０は直立した円筒形状の中心ポスト３０を備えるように形成され、パレットのデッキ２５はポスト３０内に入れ子式に入り込むことができる中心ポスト４０を備えるように形成されている。図１１に示すようにベース２０をドーム形状にすると、中心ポスト３０が上に持ち上がり、デッキ２５のポスト４０が中心ポスト３０の内部に入るよう降下させることができる。一方又は両方のポストを中空とすることができ、ポスト３０とポスト４０との係合は、ごみの付着場所がなくなるようにスナグ（滑り嵌め）であることが好ましい。
【００８１】
ポスト３０及び４０は、図１１に模式的に示すように、差し込み継手（バヨネットジョイント）のそれぞれの部材を有することもできる。これにより、デッキ２５はベース２０に対して角度をなすように向けることが可能となり、ポスト４０がポスト３０内の最後まで届くようにすることができる。デッキ２５をベース２０と見当が合う位置になるよう戻る方向に回転さると、差し込み継手が係合し、ポスト３０と４０を一体にロックする。これは、デッキ２５とベース２０との間のロッキング強度をさらに増し、ゴミの付着を完全に防止するようなポストの装着を助ける。
【００８２】
パレットは、２部材型パレットアセンブリの上面部材と底面部材を分離するか、又は引き離すように作用する実質的な印加力を受ける。このような力はパレットジャッキにより加えられうることが多い。パレットジャッキは、そのホイールがパレットの底面ピースのパレットストラップ上に位置する時に、パレットの下側に差し込まれ、ジャッキアップされてパレットを床面から持ち上げる。代表的態様では、このような力に耐える強度を、より一般的なスナップロック（押し込み締め）に対して実質的により大きくすることができる。これは、スナップロックでは係合が十分に強くなく、撓み性であるため、脱着（ロック解除）に耐える強度が小さくなるのに対し、本発明の撓みアセンブリ法を用いたインターロッキング機構は、滑りにより一体に係合するので、材料及び設計が許す範囲で剛性及び強度を高めることができる結果である。インターロッキング機構の幾何学形状は、それらに制限されないが、半円、三角、楕円、矩形の接触領域、それらの組み合わせなどをはじめとする多くの形態をとることができる。好ましい代表的態様は矩形ボックスであって、リブが脱着力の軸に沿ってロッキング表面から突出し、部材全体の要素内に結合されていて上述したように力に耐えることができるロックを創出しているものである。
【００８３】
この撓みアセンブリ（撓み組み立て又はフレックスアセンブリ）は、この時の印加力とは逆方向に撓ませることにより容易な分解を可能にする。パレットの場合、分解は、パレットを中心で支持しながらパレットの外周を押し下げることにより行うことができる。好ましい態様は、分解力に耐えるように部材の一体保持をさらに高めるために、インターロック係合の方向に平行な水平軸内で係合するスナップロック機構を使用する。これらのスナップロック機構は、１方向スナップロック機構とすることができる。この種のスナップロックは、スナップフィンガーの後方表面のテーパー角度に基づいてパレット組み立て力に対する適度な抵抗を付与しつつ、組み立て方向に垂直なスナップフィンガーの前縁表面でのスナップフィンガーの破壊を伴わない限りパレットの脱着を防止するためである。或いは、１好適態様では、スナップフィンガーは、組み立て力より大きく、それ以外には利用時にみられない量の力で、両部材を損傷せずに分解できるよう仕立て上げることができる。これは、スナップフィンガーの前縁部のテーパー傾斜を後縁部のテーパー傾斜より大きくすることにより達成できる。こうすると、フィンガーをロック解除位置に撓ませるのにより大きな力が必要になるからである。
【００８４】
２つのボデーに息抜き、すなわち、非接触領域又は空間を持たせることを可能にしたい場合、ロッキング要素内にクリアランス又はコンプライアント機構を設けることができる。両ボデーが完全に分離するのを防止しながら、この種の連結は、規定された最大離間量を付与することを可能にする。両ボデーは、重力又はバネ要素により接触状態に戻ることができる。
【００８５】
複数ボデーの偶発的な分解の防止をさらに高め又は実質的に阻止することが望ましい場合、ロッキング要素の係合を維持するいくつかの手段を採用することができる。そのような手段としては、それらに限られないが、ピン、ファスナー（締結具）、溶接、スナップロック、デテント、それらの組み合わせなどが挙げられる。
【００８６】
複数ボデー間の界面をシールすることが望ましい場合、それらに限られないが、カプセル化、コーキング（充填）、接着、ガスケット、溶接、締まり嵌め、それらの組み合わせなどを包含するいくつかの手段を採用することができる。
【００８７】
ボデーを一体にロックして構造的アセンブリを形成したい場合、係合方向に締めしろを付与することによりロックに予荷重を負荷することができる。ロッキング要素のクリアランスに起因する偏位を解消するために係合方向に垂直なプレス嵌め又は整合テーパー嵌め（matching taper fit）を設けることも可能である。
【００８８】
撓み組み立ては手作業又は自動的に実施することができる。この方法は、成形プロセスに組み入れて、部材が温かく、より容易に撓む時点で行うことができる（特に、ファミリーモールド（組み合わせ金型）を使用する場合）。追加の利点は、部材が互いに嵌まり合うことで冷却中の歪みや反りが少なくなることである。
【００８９】
ここに記載した代表的態様は、次に述べるように下記の他のデザイン又は組み立て法に対する利点を実現することができる。複数ボデーを溶接又は接着する場合には、清掃又は補修のために組み立て製品を分解することができない。スナップ嵌め連結の使用は、ロッキング要素が撓む必要があるため、本質的により弱い連結となり、スナップ嵌めの部材を係合させるのにクリアランスが必要なことから、よりゆるい連結となる。ピン又はファスナーの使用は、組み立てに追加の部品を必要とし、部品が外力により外れて望ましくない場所に落下することがある。
【００９０】
代表的態様はまた、バルクコンテナ（ばら荷容器）のような他の用途にも適用することができる。この種の用途は、偏位を最小限にして実質的な力に耐えることができる剛性の高いパネルを必要とし、特にパネルに垂直な１方向に主に力が加わる。これは、あらゆるバルクコンテナのパレットベース、並びに外向きに静水圧を発揮するばらの積み荷を運ぶためのバルクコンテナの側壁について言える。
【００９１】
この場合の撓み組み立ては、２部材を中心ピボット点の周辺で撓ませる時の水平軸に沿った両部材の変位に頼る。この変位は、撓み角とピボット点からの距離に依存してきまる。好適態様におけるパレットの中心脚部であるピボット点では、ロッキングを創出するのに変位が起こらないので、別のロッキング法が必要となる。これは、ロッキングを行わずに、両部材を垂直面内で内外に摺動可能にすることにより、並びにスナップ嵌め、ファスナー、接着剤又は溶接を用いて実施することができるが、好ましい１態様は回転又は差し込み（バヨネット）ロッキング法を用いる。この種のロッキングは、まず四辺全部の上で底面部材（ベース）を撓ませてクリア状態にし、上面部材と底面部材を一緒に直角から外れた状態とし、上面部材だけを回転させてロック機構を係合させ、両部材を直角にする。このロッキング機構は、ゼロ・クリアランスのギャップを達成できる点と、ロッキング機構の幾何学形状の剛性と強度を分離力に耐えるように実質的に高めることができる点とで、スナップロックのような他の方法に比べて、撓みロックと同様の利点を与える。
【００９２】
代表的態様の適用における別の利点は、組み立てた状態での両部材間のギャップがゼロ又は実質的にゼロであるインターロッキング機構を設計することができることである。スナップロックは、ロックを嵌めるためや所定位置に戻すための回転を可能にするのにクリアランスが必要である。係合が大きくなるほど、また可撓性タブの長さが大きくなるほど、より大きなクリアランスが必要となる。このクリアランスは、荷を積んだ時の両部材間のギャップと、アセンブリの剛性を低下させる２部材間の荷重移動の非効率として現れる。代表的態様では、クリアランスをゼロ又は実質的にゼロに設計できるので、２部材間のギャップが解消され、２部材間の最適な荷重移動が助長される。部材間のギャップの最小化は、ギャップによって汚染物捕捉を生ずることがある食品分野のような用途においては必須である。
【実施例】
【００９３】
パレット引き離し試験
パレットの上面デッキをその底面ベースか分離するように作用する力（パレットジャッキにより加わる力のような）に対する異なるパレット組み立て方法の相対的な抵抗を測定するために、４つのパレットサンプルを試験した。幅７インチで長さ４８インチのストリップ状のパレットを、パレットジャッキが最も頻繁に接近する部位であるパレットの長辺側でのワンフォークポケット開き（one fork pocket opening）を単離するために試験した。油圧ジャッキを用いてワンフォークポケット開きで底面フレームから上面デッキを分離させた。ロードセルを用いて油圧ジャッキにより加えられた力を測定した。ジャッキの各ストロークは０.７１インチの変位を生じた。各ストローク後に力を記録して、０.７１インチの変位の増分ごとに必要な荷重を求めた。４つのパレットサンプルはいずれも破損するまで試験した。試験した下記の４つのパレットは、一般的なパレット組み立て方法による３つのアセンブリ（組み立て体）と、本発明に係る代表的態様の撓み組み立て法によるアセンブリであった。パレット材料は特に指定しない限りプラスチック樹脂であった。
【００９４】
１．撓みアセンブリ
２．溶接アセンブリ
３．釘打ち木材アセンブリ
４．スナップ嵌めアセンブリ
試験結果を図１３に示す。
【００９５】
下に示した態様では、好ましくは雌型部材と雄型部材を特定の順序で連結することによりインターロック機構を作製することができる。雌型部材と雄型部材の連結順序を、ボデーが下に示す記号を有する３×３ブロックのマトリックス（行列）であるとして説明することができる。
【００９６】
【表１】
2013530899.tif 000005
【００９７】
下に示す数字のそれぞれにおいて、各ボデーはこのマトリックスに類似であると考えることができる。下に示すのは、交互撓みの態様である図１５からのボデーである。
【００９８】
【表２】
2013530899.tif 000006
【００９９】
要素７６を含むボデー部分は上記マトリックスのブロック１に対応する。同様に、要素７７Ａを含むボデー部分は上記マトリックスのブロック２に対応する。この例について、図１５の要素番号と上記マトリックスとの対応関係を下に示す。
【０１００】
【表３】
2013530899.tif 000007
【０１０１】
下の表は、上記マトリックスに従った組み立て順序の一般的な説明を与える。
【０１０２】
【表４】
2013530899.tif 000008
【０１０３】
図１４は、ドーム型偏位を用いた単撓み（シングルフレックス）型パレットの代表的態様を示す。この代表的態様５０において、ボデー５１及び５２が一体に係合されてパレットを形成する。係合は、ボデー５２、５２の一方を、それぞれ対応する雄型と雌型の部材５２と５３、５４と５５、そして５６と５７を係合させることができるようにドーム形状に撓ませることにより、達成される。撓ませたボデー５１又は５２を撓みのない状態に戻すと、ボデーはインターロックされる。
【０１０４】
図１５は、パレットを形成するように係合できるボデー部材６１及び６２を備えた交互型撓みパレットの代表的態様６０を示す。ボデー部材６１及び６２は、互いに係合してインターロックを形成するそれぞれ雄型及び雌型の部材を備える。それぞれ対応する雄型部材と雌型部材の係合は、ボデー６１及び６２の少なくとも一方をドーム形状にすることにより、雄型と雌型部材６５と６６、７８と７９、６７と６８、７７と７７Ａ、そして７３と７４を係合させ、次にボデー６１及び６２の少なくとも一方を凹ませて、残りのそれぞれ対応する雄型と雌型の部材６９と７０、７５と７６、７０と７１、そして６３と６４を係合させることにより行われる。
【０１０５】
図１６は、パレットを形成するために係合させる雄型及び雌型の対応する複数の対を備えた２方向撓み型パレットの代表的態様８０を示す。この態様では、雄型部材と雌型部材との係合は、ボデー８１及び８２の少なくとも一方を撓ませることによって、雄型部材とその対応する雌型部材９７と９８、９１と９２、そして８５と８６を係合させた後、ボデー８１及び８２の少なくとも一方を別の方向に撓ませることにより、雄型部材と対応するその雌型部材９５と９６、８９と９０、８３と８４、９９と１００、９３と９４、そして８７と８８を係合させることにより達成される。
【０１０６】
図１７は、パレットを形成するために係合させるボデー１０６及び１０７を備えた代表的な架橋（ブリッジング）フォークポケット型パレットの態様１０５を示す。この態様では、ボデー１０６及び１０７は、ボデー１０６及び１０７を連結してパレットを形成するために係合されるそれぞれ対応する雄型と雌型の部材を備える。この態様におけるボデー１０６及び１０７の係合は、捩じりを加えることにより雄型部材とその対応する雌型部材１０６と１０７を、次にそれぞれ対応する雄型と雌型の部材１２２と１２３そして１１０と１１１を係合させ、その後に要素１２０と１２１、１１４と１１５、１０８と１０９、そして要素１２４と１２５、１１８と１１９、そして１１２と１１３を係合させることにより達成される。この態様ではタング（tang）がフォークポケットの上に張り出していて追加の剛直性を付与する。
【０１０７】
上記の複数の撓みロックを、それぞれの外周脚部の内部に又はこれらの脚部の外部に、パレットの上面デッキの下側に突き出して配置することができる。１好適態様において、ロックを、パレットの各脚部からパレットの中心に向かって組み立てのための反り軸を中心とする回転の方向に向けられる。この幾何学形状は、ベースの構造物に固定されて、上部デッキの下側で片持ち状態に突き出ることによりフォークポケットを架橋することができるので、カラム間の有効スパンを低減させることによりパレットの反りを実質的に低減させる。これらの要素を隣接要素に到達するよう延設することで、底面デッキと上面カラムとの間に不可欠な連結部が構造一体性を有するワンピース（１部材）型パレットの構造に近づけることができる。
【０１０８】
図１８は、ボデー部材１４１及び１４２を備えた代表な多断片型パレットの態様１４０を示す。ボデー部材１４１及び１４２は、これらのボデーの係合を付与してパレットを形成するためのそれぞれ対応する雄型及び雌型部材を備える。この多断片型パレットの態様は、それぞれ対応する雌型部材と係合させるための多様な雄型部材１４３Ａ〜Ｄ、１４４Ａ〜Ｄ、１４５Ａ〜Ｄ、及び１４６Ａ〜Ｄを備える、４つのカバーピース１４３、１４４、１４５及び１４６を用いて係合される（別々に番号付与していない）。
【０１０９】
図１９は、ボデー１８６と１８７とを係合させてパレットを形成するための、それぞれ対応する雄型部材及び雌型部材を有するボデー１８６及び１８７を備えた一体ヒンジ型パレットの態様１８５を示す。この態様１８５はまた、ボデー１８７に設けた一体型ヒンジ１８８を備える（ただし、別の代表的態様では一体型ヒンジを他方のボデー部材に設けてもよい）。この態様における係合は、図１５に示した態様と同様に２方向に、ただし一体型ヒンジも使用して撓ませることにより、雄型と雌型の部材２０３と２０４、１９７と１９８、そして１９１と１９２を係合させ、次に別の方向に撓ませることにより雄型部材と対応する雌型部材２０１と２０２、１９５と１９６、１８９と１９０、１９３と１９４、１９９と２００、そして２０５と２０６を係合させることにより実施できる。
【０１１０】
図２０は、ボデー２５１及び２５２とボデー２５２に設けたヒンジ２５３とを備えた、代表的なヒンジ型態様のパレット２５０を示す（ただし、別の代表的態様ではヒンジは他方のボデー要素２５１に設けてもよい）。この態様では、一体型ヒンジの態様１８５と同じく、図１５に示した代表的態様と同様に２方向に、ただしヒンジ２５３を使用して撓ませることにより係合を行うことができる。すなわち、雄型と対応する雌型の部材２５６と２５７、２６２と２６３、そして２６８と２６９をまず係合させ、次にそれぞれの雄型部材と雌型部材２６６と２６７、２６０と２６１、２５４と２５５、２５８と２５９、２６４と２６５、そして２７０と２７１を係合させる。
【０１１１】
図２１は、それぞれの雄型及び雌型の部材を有するボデー２８６及び２８７と、ボデー２８６及び２８７を連結又は係合させてパレットを形成するために使用される、別のロッキング部材とを備えた代表的な別ロッキング部材型パレットの態様２８５を示す。この態様２８５では、２ボデー間の係合を付与するために別のロッキング部材を設ける。係合は、図１５に示した態様と同様にボデー２８６及び２８７の少なくとも一方を異なる方向に撓ませることにより行うことができる。すなわち、まず雄型要素とその対応する雌型要素３０２と３０３、３０３Ａと２９６、２９７と２９０、そして２９１と２９１Ａを係合させ、その後に要素３００と３０１、３０１Ａと２９４、２９５と２９５Ａ、２８８と２８９、２８９Ａと３０４、３０５と３０５Ａ、２９８と２９９、２９９Ａと２９２、そして２９３と２９３Ａを係合させる。
【０１１２】
図２２は、４つの壁面３５１、３５２、３５３及び３５４を備えた代表的な壁面雌型撓みアセンブリ３５０を示す。各壁面は縁部領域に沿って１組の雄型部材３５５又は雌型部材３５６を有していて、雄型部材３５５は対応する雌型部材３５６と係合して壁面部材を角で一体にロックすることができるようになっている。従って、代表的態様３５０では、壁面部材３５１と壁面部材３５２との係合は、壁面部材３５１及び３５２の少なくとも一方を撓ませて、雄型部材３５５を雌型部材３５６と係合可能にすることにより行われる。こうして壁面部材３５１及び３５２の少なくとも一方が撓んでいない状態に戻れば、雄型部材３５５と雌型部材３５６が係合し、インターロックされる。
【０１１３】
図２３は、壁面３８６、３８７、３８８及び３８９を備えた代表的な壁面撓みアセンブリ３８５を示す。各壁面は複数の雌型係合部材３９０と対応する雄型係合部材３９１とを備える。この壁面アセンブリの組み立ては、壁面部材の少なくとも一つを撓ませることにより、例えば、壁面部材３８６を壁面部材３８７及び３８９に対して雌型係合部材３９０と雄型係合部材３９１との間での係合が可能になるようにすることで行われる。こうして、壁面部材３８６が撓みのない状態に戻れば、壁面部材間の係合が達成され、維持されうるようになる。
【０１１４】
図２４は、円筒形状のボデー４０２と円形蓋（カバー）４０１とを有する蓋つき撓みアセンブリ４００を示す。蓋４０１とボデー４０２との係合は、ボデー４０２の上部開口部に設けた雄型インターロック部材４０４と蓋４０１の縁部に沿って設けた雌型係合部材４０３との間で係合を得ることにより達成できる。蓋４０１を撓ませるか及び／若しくは反らせることができ、並びに／又はボデー４０２を撓ませるか及び／若しくは反らせることにより雄型係合部材４０４と雌型係合部材４０３との係合を達成することができ、こうして蓋４０１及び／又はボデー４０２を撓みのない状態に戻した時に、雄型係合部材４０４と雌型係合部材４０３との間のインターロックが維持されるようになる。
【０１１５】
以上に代表的なアセンブリ及び組み立て方法についてその特定の態様に関して詳述したが、本発明の範囲から逸脱せずに、各種の変更・改変をなし、均等物を採用しうることは当業者には自明であろう。
【０１１６】
本書で引用又は言及した各特許、特許出願、刊行物、文書及び文献は、特にその全体をここに援用する。
【０１１７】
以上に本発明の各種態様を、その代表的、具体的及び好適な態様に関して説明したが、本発明の技術思想から逸脱せずに、各種の変更、置換、省略及び改変をなしうることを当業者なら理解しよう。よって、本発明の範囲は、その均等物を包含する添付の特許請求の範囲によってのみ制限されるものである。
【図１】
2013530899.tif 000009
【図２】
2013530899.tif 000010
【図３】
2013530899.tif 000011
【図４】
2013530899.tif 000012
【図５】
2013530899.tif 000013
【図６】
2013530899.tif 000014
【図７】
2013530899.tif 000015
【図８】
2013530899.tif 000016
【図９】
2013530899.tif 000017
【図１０】
2013530899.tif 000018
【図１１】
2013530899.tif 000019
【図１２】
2013530899.tif 000020
【図１３】
2013530899.tif 000021
【図１４】
2013530899.tif 000022
【図１５】
2013530899.tif 000023
【図１６】
2013530899.tif 000024
【図１７】
2013530899.tif 000025
【図１８】
2013530899.tif 000026
【図１９】
2013530899.tif 000027
【図２０】
2013530899.tif 000028
【図２１】
2013530899.tif 000029
【図２２】
2013530899.tif 000030
【図２３】
2013530899.tif 000031
【図２４】
2013530899.tif 000032
【図２５】
2013530899.tif 000033
【国際調査報告】
2013530899.tif 000034